Podtech/llm-jp-corpus-v4-ja_patent huggingface dataset:
【手続補正書】
【提出日】平成29年4月25日(2017.4.25)
【手続補正１】
【補正対象書類名】特許請求の範囲
【補正対象項目名】全文
【補正方法】変更
【補正の内容】
【特許請求の範囲】
【請求項１】
画像形成装置の装置本体に対して移動可能に設けられ、装置本体内を開閉する開閉部材と、
情報の入力操作が行われる操作部を有し、前記開閉部材に対して移動可能に連結された可動部材と、
を備え、
前記可動部材が、前記開閉部材の開放動作に連動して移動し前記開閉部材とともに前記装置本体内を開放可能に構成された画像形成装置において、
前記開閉部材を閉じた状態から開放していくと、互いに突き当たることで、前記可動部材が前記開閉部材に対してそれ以上移動することを規制する突当部と被突当部がそれぞれ、前記可動部材と前記開閉部材に設けられていることを特徴とする画像形成装置。
【請求項２】
前記可動部材は、前記開閉部材に対して回転可能に回転軸に軸支され、回転軸方向に前記開閉部材と並んで配置されており、
前記突当部は、前記被突当部に向かって前記回転軸方向に突出するように形成されていることを特徴とする請求項１に記載の画像形成装置。
【請求項３】
前記装置本体と前記開閉部材とには、前記突当部と前記被突当部とが互いに突き当たるときに、互いに当接する第１当接部が設けられていることを特徴とする請求項１又は２に記載の画像形成装置。
【請求項４】
前記開閉部材及び前記可動部材を含む複数のリンク部材が回転可能に連結されリンク機構を構成することにより、前記開閉部材及び前記可動部材が、装置本体に対して移動可能に設けられていることを特徴とする請求項１乃至３のいずれか１項に記載の画像形成装置。
【請求項５】
前記可動部材を装置本体に移動可能に連結する連結部材を備え、
前記装置本体と前記連結部材とには、前記突当部及び前記被突当部が互いに突き当たるときに、互いに当接する第２当接部が設けられていることを特徴とすることを特徴とする請求項１乃至４のいずれか１項に記載の画像形成装置。
【請求項６】
前記突当部と前記被突当部はそれぞれ、前記可動部材と前記開閉部材とは別に、前記可動部材と前記装置本体にも設けられていることを特徴とする請求項１乃至５のいずれか１項に記載の画像形成装置。
【請求項７】
画像形成装置の装置本体に対して移動可能に設けられ、装置本体内を開閉する開閉部材と、
情報の入力操作が行われる操作部を有し、前記開閉部材に対して移動可能に連結された可動部材と、
を備え、
前記可動部材が、前記開閉部材の開放動作に連動して移動し前記開閉部材とともに前記装置本体内を開放可能に構成された画像形成装置において、
前記開閉部材を閉じた状態から開放していくと、互いに突き当たることで、前記可動部材が前記開閉部材に対してそれ以上移動することを規制する突当部と被突当部がそれぞれ、前記可動部材と前記装置本体に設けられていることを特徴とする画像形成装置。
【請求項８】
前記突当部は前記可動部材に設けられ、前記被突当部は前記装置本体に設けられた側壁に設けられていることを特徴とする請求項６又は７に記載の画像形成装置。
【請求項９】
前記可動部材は、前記開閉部材に対して回転可能に軸支され、
前記突当部は、前記開閉部材に対する前記可動部材の回転中心と同軸上に配置されていることを特徴とする請求項８に記載の画像形成装置。
【請求項１０】
前記開閉部材及び前記可動部材を含む複数のリンク部材が回転可能に連結されリンク機構を構成することにより、前記開閉部材及び前記可動部材が、装置本体に対して移動可能に設けられ、
前記可動部材には、前記複数のリンク部材のうちの１つの部材と、前記開閉部材とが連結しており、
前記突当部は、前記開閉部材に対する前記可動部材の回転中心と同軸上、及び、前記１つの部材に対する前記可動部材の回転中心と同軸上にそれぞれ配置され、
前記側壁には、各突当部に対応する被突当部がそれぞれ設けられていることを特徴とする請求項８に記載の画像形成装置。
【請求項１１】
前記側壁には、前記可動部材が移動する際に前記突当部を案内するガイド部が設けられ、
前記開閉部材が開放されると、前記突当部は前記ガイド部に案内されて前記被突当部に突き当たることを特徴とする請求項９に記載の画像形成装置。
【請求項１２】
前記側壁には、前記可動部材が移動する際に各突当部をそれぞれ案内するガイド部が、各突当部に対応してそれぞれ設けられ、
前記開閉部材が開放されると、各突当部は各ガイド部に案内されて各被突当部に突き当たることを特徴とする請求項１０に記載の画像形成装置。
【請求項１３】
前記突当部が前記被突当部に突き当たり前記装置本体内が開放された状態で前記操作部の入力操作が行われたときに、前記突当部及び前記被突当部が互いに突き当たる方向に力がかかるように構成されていることを特徴とする請求項１乃至１２のいずれか１項に記載の画像形成装置。
【請求項１４】
前記可動部材は、前記開閉部材の移動に連動して、前記操作部が向いている方向が所定の方向に維持されるように前記開閉部材に対する姿勢を変化させながら移動することを特徴とする請求項１乃至１３のいずれか１項に記載の画像形成装置。
【請求項１５】
前記突当部及び前記被突当部は、突き当たった際に互いに嵌合するように形成されていることを特徴とする請求項１乃至１４のいずれか１項に記載の画像形成装置。
【請求項１６】
前記可動部材と前記装置本体との間には、前記開閉部材が閉じた状態のときに互いに嵌合する相互嵌合部がそれぞれ設けられていることを特徴とする請求項１乃至１５のいずれか１項に記載の画像形成装置。 
【手続補正２】
【補正対象書類名】明細書
【補正対象項目名】０００７
【補正方法】削除
【補正の内容】
【手続補正書】
【提出日】平成29年4月10日(2017.4.10)
【手続補正１】
【補正対象書類名】特許請求の範囲
【補正対象項目名】全文
【補正方法】変更
【補正の内容】
【特許請求の範囲】
【請求項１】
記録材に形成されたトナー像をその間のニップ部にて加熱する第１の回転体及び第２の回転体と、
その表面に砥粒により形成された複数の凹凸を有し、前記第１の回転体の表面を摺擦する摺擦回転体と、
前記摺擦回転体の表面を清掃する清掃部材と、を備え、
前記摺擦回転体の表面の複数の凹凸の平均間隔Ｓｍは、１０〜２０μｍであり、
前記清掃部材は、それぞれの繊維径が５μｍ以上で前記摺擦回転体の表面の凹凸の平均間隔Ｓｍ以下である複数の繊維を有する、
ことを特徴とする像加熱装置。
【請求項２】
記録材に形成されたトナー像をその間のニップ部にて加熱する第１の回転体及び第２の回転体と、
その表面に砥粒により形成された複数の凹凸を有し、前記第１の回転体の表面を摺擦する摺擦回転体と、
前記摺擦回転体の表面を清掃する清掃部材と、を備え、
前記摺擦回転体の表面の複数の凹凸の平均間隔Ｓｍは、１０〜２０μｍであり、
前記清掃部材は、それぞれの繊維径が前記摺擦回転体の表面の凹凸の平均間隔Ｓｍの１／４以上で前記平均間隔Ｓｍ以下である複数の繊維を有する、
ことを特徴とする像加熱装置。
【請求項３】
前記摺擦回転体は、前記第１の回転体の表面を摺擦して、表面粗さＲｚを０．５〜１．０μｍとする、
ことを特徴とする、請求項１又は２に記載の像加熱装置。
【請求項４】
前記摺擦回転体は、表面粗さＲａが２．０〜４．０μｍである、
ことを特徴とする、請求項１ないし３のうちの何れか１項に記載の像加熱装置。
【請求項５】
前記摺擦回転体の表面の凹凸を形成する前記砥粒は、粒度が♯１０００〜４０００である、
ことを特徴とする、請求項１ないし４のうちの何れか１項に記載の像加熱装置。
【請求項６】
前記複数の繊維は、ポリイミド繊維である、
ことを特徴とする、請求項１ないし５のうちの何れか１項に記載の像加熱装置。
【請求項７】
前記清掃部材は、前記摺擦回転体により従動回転可能である、
ことを特徴とする、請求項１ないし６のうちの何れか１項に記載の像加熱装置。
【請求項８】
前記清掃部材を前記摺擦回転体に向けて付勢する付勢手段を有する、
ことを特徴とする、請求項１ないし７のうちの何れか１項に記載の像加熱装置。
【請求項９】
粗し動作の終了に伴って、前記摺擦回転体を前記第１の回転体から離間させる離間機構を有する、
ことを特徴とする、請求項１ないし８のうちの何れか１項に記載の像加熱装置。
【請求項１０】
前記摺擦回転体は、ローラである、
ことを特徴とする、請求項１ないし９のうちの何れか１項に記載の像加熱装置。
【手続補正２】
【補正対象書類名】明細書
【補正対象項目名】０００７
【補正方法】変更
【補正の内容】
【０００７】
本発明は、記録材に形成されたトナー像をその間のニップ部にて加熱する第１の回転体及び第２の回転体と、その表面に砥粒により形成された複数の凹凸を有し、前記第１の回転体の表面を摺擦する摺擦回転体と、前記摺擦回転体の表面を清掃する清掃部材と、を備え、前記摺擦回転体の表面の複数の凹凸の平均間隔Ｓｍは、１０〜２０μｍであり、前記清掃部材は、それぞれの繊維径が５μｍ以上で前記摺擦回転体の表面の凹凸の平均間隔Ｓｍ以下である複数の繊維を有することを特徴とする像加熱装置にある。
【手続補正３】
【補正対象書類名】明細書
【補正対象項目名】０００８
【補正方法】変更
【補正の内容】
【０００８】
本発明によれば、摺擦回転体の表面の凹凸の間に詰まった異物を十分に除去できる。
【手続補正４】
【補正対象書類名】明細書
【補正対象項目名】００２８
【補正方法】変更
【補正の内容】
【００２８】
粗しローラ４００は、図８に示すように、上フレーム３０５上の固定軸１４２に回転可能に支持された支持アーム４０１に対し軸受を介して回転可能に支持されている。また、固定軸１４２には加圧アーム４０２が回転可能に支持されており、支持アーム４０１と加圧アーム４０２の間には加圧バネ４０４が設けられている。加圧アーム４０２には、図８（ｂ）に示すように、他端が上フレーム３０５に保持された離間バネ４０５が設けられている。離間バネ４０５は加圧アーム４０２をＲＦカム４０７側へと付勢することで、加圧アーム４０２を連動して回転させる。それにより粗しローラ４００はＲＦカム４０７の回転に従って昇降することが可能となり、粗しローラ４００を粗しニップＲを形成する図９に示す加圧位置と、図８に示す離間位置に移動することができる。本実施形態の場合、ＲＦカム４０７、加圧アーム４０２、加圧バネ４０４、支持アーム４０１、離間バネ４０５により、粗しローラ４００を定着ベルト１０５に当接又は離間させる接離機構（離間機構）４００Ａを構成する。
【手続補正５】
【補正対象書類名】明細書
【補正対象項目名】００３３
【補正方法】変更
【補正の内容】
【００３３】
この際、周速差が小さいと、所望の粗さに対して、小さい表面粗さとなってしまう。このため、本実施形態においては、駆動ギア４１２とギア４１３との減速比を、１．３：１の比率とし、駆動モータ３０１の回転数が３０００ｒｐｍ時において、周速差が９０ｍｍ／ｓとなるようにしている。以上の条件で定着ベルト１０５を粗しローラ４００により粗すことで、定着ベルト１０５の表層をＲｚ０．５〜１．０μｍ程度にすることが可能となる。このような粗さに調整された定着ベルト１０５を用いて、上述したように記録材上にトナー像を定着することで、定着ベルト１０５の表層粗さによるキズが現れず、且つ適正な光沢を有した画像とすることができる。
【手続補正６】
【補正対象書類名】明細書
【補正対象項目名】００３７
【補正方法】変更
【補正の内容】
【００３７】
具体例を説明する。本実施形態では、例えば表面粗さＲｚが２．０程度に部分的に粗らされた定着ベルト１０５の表面を、このような粗しローラ４００による粗し動作により、表面粗さＲｚが０．５〜１．０μｍに回復させるようにしている。このとき、記録材のエッジ部と接触した定着ベルトの部位と他の部位の表面粗さＲａの差分をΔＲａとした場合、ΔＲａが０．３μｍ程度の状態から、粗し動作（表面性回復動作）によりΔＲａが０．１μｍ程度になるよう処理される。このように本実施形態では、粗しローラ４００の役割は、定着ベルト１０５の表面粗さを長期に亙り十分に低い状態に維持させるためのものである。これは、画像の光沢ムラを抑制しつつ、画像の光沢低下を抑制することに繋がる。
【手続補正７】
【補正対象書類名】明細書
【補正対象項目名】００５３
【補正方法】変更
【補正の内容】
【００５３】
１００・・・定着装置（像加熱装置）、１０５・・・定着ベルト（第１の回転体）、１２０・・・加圧ベルト（第２の回転体）、４００・・・粗しローラ（摺擦回転体）、４００Ａ・・・接離機構（離間機構）、４１５・・・清掃ローラ（清掃部材）、４１６・・・揺動バネ（付勢手段）、４１７・・・パイル糸（繊維）、４１９・・・芯金（円筒部材）
【手続補正書】
【提出日】平成29年4月25日(2017.4.25)
【手続補正１】
【補正対象書類名】特許請求の範囲
【補正対象項目名】全文
【補正方法】変更
【補正の内容】
【特許請求の範囲】
【請求項１】
被駆動部を、コイル部及びマグネット部を有するボイスコイルモーターの駆動力によって傾斜させて振れ補正を行うアクチュエーターであって、
前記被駆動部が接着される平枠状の保持部材を有し、前記保持部材に前記コイル部及び前記マグネット部の何れか一方が配置されてなる可動部と、
ベース部材及び前記ベース部材の周縁部に固定される枠状のカバー部材を有し、前記ベース部材に前記コイル部及び前記マグネット部の何れか他方が配置されてなる固定部と、
前記ベース部材に配置され、前記固定部に対して前記可動部を傾斜可能に弾性支持する弾性支持部材と、を備え、
前記ベース部材と前記カバー部材との間に前記可動部が挟装されており、
前記弾性支持部材は、
前記被駆動部の光軸方向に直交し且つ互いに直交する２つの回転軸を有する２軸ジンバル機構を形成する、中央部、内側ジンバル及び外側ジンバルを有し、
前記中央部は、前記ベース部材に固定され、
前記外側ジンバルは、前記保持部材に固定され、
前記内側ジンバルは、前記中央部と前記外側ジンバルとを連接させるよう前記中央部と前記外側ジンバルとの間に介在し、かつ、互いに分離して形成された複数の腕部を有し、
前記複数の腕部は各々、前記中央部から一方の回転軸に沿って直線状に外側に延びる第１の直線部と、前記外側ジンバルから他方の回転軸に沿って直線状に内側に延びる第２の直線部と、前記第１の直線部と前記第２の直線部とを連接させるよう湾曲して延びる湾曲部と、を有する、
ことを特徴とするアクチュエーター。
【請求項２】
前記保持部材に前記マグネット部が配置され、前記ベース部材に前記コイル部が配置されることを特徴とする請求項１に記載のアクチュエーター。
【請求項３】
前記保持部材は、磁性材料からなるヨークであることを特徴とする請求項２に記載のアクチュエーター。
【請求項４】
前記保持部材に前記コイル部が配置され、前記ベース部材に前記マグネット部が配置されることを特徴とする請求項１に記載のアクチュエーター。
【請求項５】
前記湾曲部は、前記第１の直線部と平行に延びる複数の第１の平行部と、前記第２の直線部と平行に延びる複数の第２の平行部とが、交互に配置されてなる、
ことを特徴とする請求項１に記載のアクチュエーター。
【請求項６】
請求項１から５のいずれか一項に記載のアクチュエーターと、
レンズ部及び撮像素子を有し、前記被駆動部として前記保持部材に接着される撮像モジュールと、
前記撮像モジュールの振れを検出する振れ検出部と、を備えることを特徴とするカメラモジュール。
【請求項７】
前記振れ検出部は、前記可動部又は前記撮像モジュールに取り付けられる検出素子を有し、前記検出素子の検出信号が前記撮像モジュールのプリント配線基板を介して出力されることを特徴とする請求項６に記載のカメラモジュール。
【請求項８】
前記振れ検出部は、前記撮像モジュールの角速度を検出するジャイロセンサーで構成されることを特徴とする請求項７に記載のカメラモジュール。
【請求項９】
前記振れ検出部から出力される検出信号に基づいて、前記コイル部への給電を制御する制御部を備えることを特徴とする請求項６から８のいずれか一項に記載のカメラモジュール。
【請求項１０】
前記撮像モジュールは、オートフォーカス機能を有することを特徴とする請求項６から９のいずれか一項に記載のカメラモジュール。
【請求項１１】
請求項６から１０のいずれか一項に記載のカメラモジュールを備えることを特徴とするカメラ付き携帯端末。
【手続補正書】
【提出日】平成29年10月26日(2017.10.26)
【手続補正１】
【補正対象書類名】特許請求の範囲
【補正対象項目名】全文
【補正方法】変更
【補正の内容】
【特許請求の範囲】
【請求項１】
可変表示を行い、遊技者にとって有利な有利状態に制御可能な遊技機であって、
可変表示に関する情報を保留情報として記憶する保留記憶手段と、
前記有利状態に制御するか否かを決定する決定手段と、
前記決定手段による決定よりも前に、前記有利状態に制御されるか否かを判定する判定手段と、
前記判定手段による判定結果にもとづいて特定演出を実行する特定演出実行手段と、
前記可変表示に対応した画像が表示される第１表示手段と、
前記第１表示手段の前面側で動作可能に設けられ、該第１表示手段に表示される画像と関連した画像が表示される第２表示手段と、
前記第２表示手段を動作させる動作制御手段と、を備え、
前記動作制御手段は、前記第２表示手段に表示されている画像が遊技機の前面側から視認可能な状態を維持したまま回転させる回転動作演出と、前記第２表示手段を前記第１表示手段に向かって平行移動させる平行動作演出と、を実行可能であり、
前記回転動作演出が実行されるときと、前記平行動作演出が実行されるときと、で前記有利状態に制御される割合が異なり、
前記特定演出実行手段は、前記第２表示手段において前記特定演出を実行可能である
ことを特徴とする遊技機。
【手続補正２】
【補正対象書類名】明細書
【補正対象項目名】０００７
【補正方法】変更
【補正の内容】
【０００７】
（Ａ）上記目的を達成するため、本発明の遊技機は、
可変表示を行い、遊技者にとって有利な有利状態に制御可能な遊技機（例えばパチンコ遊技機１など）であって、
可変表示に関する情報を保留情報として記憶する保留記憶手段と、
前記有利状態に制御するか否かを決定する決定手段と、
前記決定手段による決定よりも前に、前記有利状態に制御されるか否かを判定する判定手段と、
前記判定手段による判定結果にもとづいて特定演出を実行する特定演出実行手段と、
前記可変表示に対応した画像が表示される第１表示手段（例えば画像表示装置５）と、
前記第１表示手段の前面側で動作可能に設けられ、該第１表示手段に表示される画像と関連した画像が表示される第２表示手段（例えば副画像表示装置５１）と、
前記第２表示手段を動作させる動作制御手段（例えば演出制御用ＣＰＵ１２０）と、を備え、
前記動作制御手段は、前記第２表示手段に表示されている画像が遊技機の前面側から視認可能な状態を維持したまま回転させる回転動作演出と、前記第２表示手段を前記第１表示手段に向かって平行移動させる平行動作演出（例えば予告パターンＹＰ１等の副画像表示装置５１（サブ液晶）に予告画像を表示して、サブ液晶を待機位置から重畳位置に上下動作させる変動中予告演出）と、を実行可能であり、
前記回転動作演出が実行されるときと、前記平行動作演出が実行されるときと、で前記有利状態に制御される割合が異なり、
前記特定演出実行手段は、前記第２表示手段において前記特定演出を実行可能である。
このような構成によれば、第２表示手段の動作に注目させることができ、遊技の興趣が向上する。
（１）上記目的を達成するため、他の遊技機は、
遊技者が遊技媒体を遊技領域に発射することにより所定の遊技を行い、遊技結果に基づいて遊技者にとって有利な有利状態に制御可能な遊技機（例えばパチンコ遊技機１など）であって、
開口を有し、前記遊技領域を構成する透明な遊技盤（例えば遊技盤２）と、
前記開口に対応する位置に設けられ、前記所定の遊技の進行に対応した画像が表示される第１表示手段（例えば画像表示装置５）と、
前記第１表示手段の前面側で動作可能に設けられ、該第１表示手段に表示される画像と関連した画像が表示される第２表示手段（例えば副画像表示装置５１）と、
前記第２表示手段を動作させる動作制御手段（例えば演出制御用ＣＰＵ１２０）と、を備え、
前記動作制御手段は、前記第２表示手段を前記開口に対応する位置であって前記第１表示手段の表示領域に重畳する第１位置（例えば重畳位置）と前記遊技盤の後面側で該遊技盤に重畳する第２位置（例えば待機位置）とに移動可能であり、
前記第２表示手段は、前記第１位置及び前記第２位置において画像を表示し（例えば図３１、図３２）、
前記動作制御手段は、前記第２表示手段に表示されている画像が遊技機の前面側から視認可能な状態を維持したまま回転させる回転動作演出と、前記第２表示手段を前記第１表示手段に向かって平行移動させる平行動作演出（例えば予告パターンＹＰ１等の副画像表示装置５１（サブ液晶）に予告画像を表示して、サブ液晶を待機位置から重畳位置に上下動作させる変動中予告演出）と、を実行可能であり、
前記回転動作演出が実行されるときと、前記平行動作演出が実行されるときと、で前記有利状態に制御される割合が異なる。
このような構成によれば、第２表示手段の動作に注目させることができ、遊技の興趣が向上する。
【手続補正書】
【提出日】平成29年10月26日(2017.10.26)
【手続補正１】
【補正対象書類名】特許請求の範囲
【補正対象項目名】全文
【補正方法】変更
【補正の内容】
【特許請求の範囲】
【請求項１】
可変表示を行い、遊技者にとって有利な有利状態に制御可能な遊技機であって、
表示手段と、
可変表示に関する情報を保留情報として記憶可能な保留記憶手段と、
前記保留記憶手段に記憶された保留情報に対応する保留表示を前記表示手段に表示させる保留表示手段と、
前記表示手段の前面側に配置され、透光性を有する導光板と、を備え、
前記導光板の端面から複数色のうちのいずれかの色の光を入射させることにより、該導光板による複数色の演出表示を実行可能であり、
前記保留表示を複数色のうちのいずれかの色で表示することにより、前記有利状態に制御されることを示唆可能であり、
前記保留表示が表示されていないときに前記導光板による演出表示を実行可能である、
ことを特徴とする遊技機。
【手続補正２】
【補正対象書類名】明細書
【補正対象項目名】０００８
【補正方法】変更
【補正の内容】
【０００８】
そこで、本発明は、表示される情報を適切に遊技者に視認させることを目的とする。
【手続補正３】
【補正対象書類名】明細書
【補正対象項目名】０００９
【補正方法】変更
【補正の内容】
【０００９】
（Ａ）上記目的を達成するため、本発明に係る遊技機は、
可変表示を行い、遊技者にとって有利な有利状態（例えば大当り遊技状態など）に制御可能な遊技機であって、
表示手段（例えば演出表示装置９など）と、
可変表示に関する情報を保留情報として記憶可能な保留記憶手段（例えば第１保留記憶バッファや第２保留記憶バッファなど）と、
前記保留記憶手段に記憶された保留情報に対応する保留表示を前記表示手段に表示させる保留表示手段と、
前記表示手段の前面側に配置され、透光性を有する導光板（例えば導光板５０５など）と、を備え、
前記導光板の端面から複数色のうちのいずれかの色の光を入射させることにより、該導光板による複数色の演出表示を実行可能であり、
前記保留表示を複数色のうちのいずれかの色で表示することにより、前記有利状態に制御されることを示唆可能であり、
前記保留表示が表示されていないときに前記導光板による演出表示を実行可能である、
ことを特徴とする。
このような構成によれば、表示される情報を適切に遊技者に視認させることができる。
【手続補正４】
【補正対象書類名】明細書
【補正対象項目名】００１０
【補正方法】変更
【補正の内容】
【００１０】
（１）上記目的を達成するため、本発明の他の観点に係る遊技機は、
各々を識別可能な複数種類の識別情報（例えば特別図柄や演出図柄など）の可変表示を行い表示結果を導出表示する可変表示手段（例えば第１特別図柄表示器８ａや第２特別図柄表示器８ｂや演出表示装置９など）に識別情報の表示結果として予め定められた特定表示結果（例えば大当り図柄など）が導出表示されたときに、遊技者にとって有利な特定遊技状態（例えば大当り遊技状態など）に制御する遊技機であって、
未だ開始されていない識別情報の可変表示について、前記特定表示結果とするか否かを決定するための情報を所定の上限記憶数の範囲内で保留情報として記憶可能な保留記憶手段（例えば第１保留記憶バッファや第２保留記憶バッファなど）と、
前記保留記憶手段に前記保留情報が記憶されたことに基づいて、記憶された保留情報に対応する保留表示を行う保留表示手段（例えば第１特別図柄保留記憶表示器１８ａや第２特別図柄保留記憶表示器１８ｂなど）と、
前記可変表示手段および前記保留表示手段の前面側に配置され、透光性を有する導光板（例えば導光板５０５など）と、を備え、
前記導光板は、
所定の発光表示を行いながら、前記保留表示が行われている領域との重畳領域を含む所定の領域を可動可能であり（例えば態様２の導光板演出を実行するなど）、
少なくとも前記保留表示手段により保留表示が行われている場合には、前記保留表示が行われている領域との重畳領域以外の領域で前記所定の発光表示を行う（例えば保留表示が行われている領域に発光表示が重ならないように一部のＬＥＤを消灯するなど）、
ことを特徴とする。
このような構成によれば、表示される情報を適切に遊技者に視認させることができ、視認性が悪くなることを防止することができる。
【手続補正５】
【補正対象書類名】明細書
【補正対象項目名】００１１
【補正方法】変更
【補正の内容】
【００１１】
（２）上記目的を達成するため、本発明の他の観点に係る遊技機は、
各々を識別可能な複数種類の識別情報（例えば特別図柄や演出図柄など）の可変表示を行い表示結果を導出表示する可変表示手段（例えば第１特別図柄表示器８ａや第２特別図柄表示器８ｂや演出表示装置９など）に識別情報の表示結果として予め定められた特定表示結果（例えば大当り図柄など）が導出表示されたときに、遊技者にとって有利な特定遊技状態（例えば大当り遊技状態など）に制御する遊技機であって、
前記可変表示手段の前面側に配置され、透光性を有する導光板（例えば導光板５０５など）を備え、
前記導光板は、
所定の発光表示を行いながら、識別情報の可変表示が行われる領域との重畳領域を含む所定の領域を可動可能であり（例えば態様２の導光板演出を実行するなど）、
少なくとも識別情報の可変表示が行われている場合には、前記識別情報の可変表示が行われている領域との重畳領域以外の領域で前記所定の発光表示を行う（例えば第４図柄の変動表示が行われている領域に発光表示が重ならないように一部のＬＥＤを消灯するなど）、
ことを特徴とする。
【手続補正書】
【提出日】平成29年10月26日(2017.10.26)
【手続補正１】
【補正対象書類名】特許請求の範囲
【補正対象項目名】全文
【補正方法】変更
【補正の内容】
【特許請求の範囲】
【請求項１】
所定の遊技を行い、遊技結果に基づいて遊技者にとって有利な有利状態に制御可能な遊技機であって、
前記所定の遊技の進行に対応した画像が表示される第１表示手段と、
前記第１表示手段の前面側で動作可能に設けられ、該第１表示手段に表示される画像と関連した画像が表示される第２表示手段と、
前記第２表示手段を動作させる動作制御手段と、を備え、
前記動作制御手段は、前記第２表示手段に表示されている画像が遊技機の前面側から視認可能な状態を維持したまま回転させる回転動作演出と、前記第２表示手段を前記第１表示手段に向かって平行移動させる平行動作演出と、を実行可能であり、
前記回転動作演出が実行されるときと、前記平行動作演出が実行されるときと、で前記有利状態に制御される割合が異なり、
前記有利状態には、第１有利状態と、第２有利状態とが少なくとも含まれ、
前記第１有利状態に制御されるときと、前記第２有利状態に制御されるときと、で前記回転動作演出および前記平行動作演出が実行される割合が異なる
ことを特徴とする遊技機。
【手続補正２】
【補正対象書類名】明細書
【補正対象項目名】０００７
【補正方法】変更
【補正の内容】
【０００７】
（Ａ）上記目的を達成するため、本発明の遊技機は、
所定の遊技を行い、遊技結果に基づいて遊技者にとって有利な有利状態に制御可能な遊技機（例えばパチンコ遊技機１など）であって、
前記所定の遊技の進行に対応した画像が表示される第１表示手段（例えば画像表示装置５）と、
前記第１表示手段の前面側で動作可能に設けられ、該第１表示手段に表示される画像と関連した画像が表示される第２表示手段（例えば副画像表示装置５１）と、
前記第２表示手段を動作させる動作制御手段（例えば演出制御用ＣＰＵ１２０）と、を備え、
前記動作制御手段は、前記第２表示手段に表示されている画像が遊技機の前面側から視認可能な状態を維持したまま回転させる回転動作演出と、前記第２表示手段を前記第１表示手段に向かって平行移動させる平行動作演出（例えば予告パターンＹＰ１等の副画像表示装置５１（サブ液晶）に予告画像を表示して、サブ液晶を待機位置から重畳位置に上下動作させる変動中予告演出）と、を実行可能であり、
前記回転動作演出が実行されるときと、前記平行動作演出が実行されるときと、で前記有利状態に制御される割合が異なり、
前記有利状態には、第１有利状態と、第２有利状態とが少なくとも含まれ、
前記第１有利状態に制御されるときと、前記第２有利状態に制御されるときと、で前記回転動作演出および前記平行動作演出が実行される割合が異なる。
このような構成によれば、第２表示手段の動作に注目させることができ、遊技の興趣が向上する。
（１）上記目的を達成するため、他の遊技機は、
所定の遊技を行い、遊技結果に基づいて遊技者にとって有利な有利状態に制御可能な遊技機（例えばパチンコ遊技機１など）であって、
前記所定の遊技の進行に対応した画像が表示される第１表示手段（例えば画像表示装置５）と、
前記第１表示手段の前面側で動作可能に設けられ、該第１表示手段に表示される画像と関連した画像が表示される第２表示手段（例えば副画像表示装置５１）と、
前記第２表示手段を動作させる動作制御手段（例えば演出制御用ＣＰＵ１２０）と、を備え、
前記動作制御手段は、前記第２表示手段に画像が表示されているときに、該第２表示手段の前記第１表示手段に対する傾きを変化させる傾斜動作演出（例えば予告パターンＹＰ２、ＹＰ３等の傾斜動作を伴う変動中予告演出）と、前記第２表示手段を前記第１表示手段に向かって平行移動させる平行動作演出（例えば予告パターンＹＰ１等の副画像表示装置５１（サブ液晶）に予告画像を表示して、サブ液晶を待機位置から重畳位置に上下動作させる変動中予告演出）と、前記第２表示手段に表示されている画像が遊技機の前面側から視認可能な状態を維持したまま回転させる回転動作演出と、を実行可能であり、
前記傾斜動作演出が実行されるときと、前記平行動作演出が実行されるときと、前記回転動作演出が実行されるときと、で前記有利状態に制御される割合が異なる。
このような構成によれば、第２表示手段の動作に注目させることができ、遊技の興趣が向上する。
前記第１表示手段と前記第２表示手段に互いに連携した表示内容を表示する連携演出を実行可能な演出実行手段と、
前記第１表示手段に表示される画像の画像データと前記第２表示手段に表示される画像の画像データとが読み出し可能に格納されるフレームバッファと、をさらに備え、
前記第２表示手段に表示される第２連携画像の画像データを格納する第２画像バッファ領域は、該第２表示手段の表示領域の前記第１表示手段の表示領域に対する物理的な位置に応じて、前記第１表示手段に表示される第１連携画像の画像データを格納する第１画像バッファ領域の近傍領域に設定され、
前記連携演出において前記第１表示手段と前記第２表示手段に跨がって表示される単一の画像の画像データを、前記第１画像バッファ領域及び前記第２画像バッファ領域に亘って描画可能であるようにしてもよい。
【手続補正書】
【提出日】平成29年11月15日(2017.11.15)
【手続補正１】
【補正対象書類名】特許請求の範囲
【補正対象項目名】全文
【補正方法】変更
【補正の内容】
【特許請求の範囲】
【請求項１】
スイングを行う道具に装着可能でありセンサを有する外部機器と通信可能な電子機器に、
前記センサの出力を受信部で受信する処理と、
前記受信部で受信した出力に基づいたスイングに関する第１データを記憶部に記憶する処理と、
前記第１データとは異なるスイングに関する第２データと、前記記憶部に記憶された前記第１データとの違いを報知部で報知する処理と、
を実行させるプログラム。
【請求項２】
前記第１データと前記第２データとに基づいて、前記第１データに関するスイングと前記第２データに関するスイングとの違いを前記報知部で報知する処理を実行させる請求項１に記載のプログラム。
【請求項３】
前記受信部で受信した出力に基づいた前記第２データを前記記憶部に記憶する処理を実行させる請求項１または２に記載のプログラム。
【請求項４】
スイングを行う道具に装着可能でありセンサを有する外部機器と通信可能な電子機器に、
前記センサの出力を受信部で受信する処理と、
前記受信部で受信した出力に基づいたスイングに関する第１データを記憶部に記憶する処理と、
前記記憶部に記憶された前記第１データに関するスイングの修正を報知部で報知する処理と、
を実行させるプログラム。
【請求項５】
前記第１データとは異なるスイングに関する第２データに基づいて、前記第１データに関するスイングの修正を前記報知部で報知する処理を実行させる請求項４に記載のプログラム。
【請求項６】
前記外部機器とは異なる機器から前記第２データを前記受信部で受信する処理と、
前記受信部で受信した前記第２データを前記記憶部に記憶する処理と、
を実行させる請求項５に記載のプログラム。
【請求項７】
前記受信部で受信した出力が前記道具をスイングした出力である場合、前記第１データを前記記憶部に記憶する処理を実行させる請求項１〜６のいずれか一項に記載のプログラム。
【請求項８】
前記受信部で受信した出力が前記道具をスイングした出力である、または前記道具をスイングした出力でないと判定する処理を実行させる請求項７に記載のプログラム。
【請求項９】
撮像部を備える前記電子機器に、
前記撮像部により画像データを生成する処理と、
前記撮像部により生成される前記画像データと前記第１データとを関連付けて前記記憶部に記憶する処理と、
を実行させる請求項１〜８のいずれか一項に記載のプログラム。
【請求項１０】
スイングが行われている間に前記撮像部により生成される画像データと前記第１データとを関連付けて前記記憶部に記憶する処理を実行させる請求項９に記載のプログラム。
【請求項１１】
スイングが開始されると自動的に前記撮像部により画像データを生成する処理を実行させる請求項９または１０に記載のプログラム。
【請求項１２】
前記第１データを外部に送信する処理を実行させる請求項１〜１１のいずれか一項に記載のプログラム。
【手続補正２】
【補正対象書類名】明細書
【補正対象項目名】発明の名称
【補正方法】変更
【補正の内容】
【発明の名称】プログラム
【手続補正３】
【補正対象書類名】明細書
【補正対象項目名】０００１
【補正方法】変更
【補正の内容】
【０００１】
本発明は、プログラムに関する。
【手続補正４】
【補正対象書類名】明細書
【補正対象項目名】０００６
【補正方法】変更
【補正の内容】
【０００６】
本発明は上記の課題に鑑みてなされたものであり、使い勝手向上に寄与するプログラムを提供することを目的とする。
【手続補正５】
【補正対象書類名】明細書
【補正対象項目名】０００９
【補正方法】変更
【補正の内容】
【０００９】
本発明は、使い勝手向上に寄与するプログラムを提供することができるという効果を奏する。
【手続補正書】
【提出日】平成29年9月25日(2017.9.25)
【手続補正１】
【補正対象書類名】特許請求の範囲
【補正対象項目名】全文
【補正方法】変更
【補正の内容】
【特許請求の範囲】
【請求項１】
液体薬剤のための自動アプリケータであって、
液体薬剤を押し出すのに好適なプランジャ（１２）を有するハウジング（１）を備え、
前記プランジャ（１２）は、始動ユニット（１３）を押すことにより作動される駆動ユニットによって直線的に移動可能であり、
前記プランジャ（１２）は、ラチェット筒（５）と半径方向に結合された継手スリーブ（６）を有する二段動作クラッチを介して駆動用バネ（１５）によって駆動され、
前記ラチェット筒（５）は、少なくとも１つの歯止め（５．３）の弾性アームを有し、前記駆動用バネ（１５）に接続され、
前記駆動用バネ（１５）はねじりバネであり、前記継手スリーブ（６）および前記ラチェット筒（５）を介して回転式手動投与量設定リング（３）により付勢され、
前記駆動用バネ（１５）はバネ止め（４）に接続され、前記バネ止め（４）は前記ハウジング（１）に接続されて回転に対して固定され、
投与量を増大させるために前記回転式手動投与量設定リング（３）を時計回りに回転させた場合、前記継手スリーブ（６）が時計回りに回転され、前記ラチェット筒（５）が前記継手スリーブ（６）と一緒に回転され、前記歯止め（５．３）の前記弾性アームが半径方向に変位する、自動アプリケータ。
【請求項２】
前記駆動ユニットは、前記始動ユニット（１３）を針の方向に押すことによって開放される、請求項１に記載の自動アプリケータ。
【請求項３】
前記継手スリーブ（６）は、前記バネ止め（４）を通り抜けて前記ハウジング（１）の外側まで延在する、請求項１または請求項２に記載の自動アプリケータ。
【請求項４】
前記プランジャ（１２）は、前記プランジャ（１２）の直線的な移動を可能にする少なくとも１つの長手方向の溝を有する、請求項１から請求項３のいずれか１項に記載の自動アプリケータ。
【請求項５】
投与量を増大させるために前記継手スリーブ（６）が時計回りに回転される場合、前記ラチェット筒（５）の前記歯止め（５．３）の前記弾性アームが、回転角に応じて、ラチェット歯リング（７．１）の摺動端（７．５）上を前記ラチェット歯リング（７．１）の１つの固定端から隣接する端部まで移動する、請求項１から請求項４のいずれか１項に記載の自動アプリケータ。
【請求項６】
前記ハウジング（１）は、投与量を見るためののぞき窓（１．１）を有する、請求項１から請求項５のいずれか１項に記載の自動アプリケータ。
【請求項７】
前記始動ユニット（１３）が開放されると、前記始動ユニット（１３）の直下に位置されたバネによって、前記始動ユニット（１３）は元の位置に戻るように強制され得る、請求項１から請求項６のいずれか１項に記載の自動アプリケータ。
【手続補正書】
【提出日】平成29年7月13日(2017.7.13)
【手続補正１】
【補正対象書類名】特許請求の範囲
【補正対象項目名】全文
【補正方法】変更
【補正の内容】
【特許請求の範囲】
【請求項１】
注入ポンプに呼び水をするためのシステムであって、
該システムは、
隔壁を含む呼び水キャップを含み、該呼び水キャップは、雄部品と噛合可能に接続するように構成されており、該雄部品は、針を含み、流体用の１本の管類に取り付けられており、該呼び水キャップは、該雄部品と噛合可能に接続されたときに該管類を閉塞する、システム。
【請求項２】
貯留部をさらに含み、前記管類が該貯留部に取外し可能に接続されており、該貯留部からの流体は、該管類と流体的に連絡している、請求項１に記載のシステム。
【請求項３】
注入ポンプアセンブリに呼び水をするための方法であって、
該方法は、
雄部品を呼び水キャップに接続することであって、該雄部品は、１本の管類に取り付けられた針を含み、該呼び水キャップは、隔壁を含む、ことと、
注入ポンプに呼び水をするように命令することと、
該注入ポンプに該呼び水キャップの中へと呼び水をすることと
を含む、方法。
【請求項４】
閉塞警報チェックを行うための方法であって、
該方法は、
雄部品を呼び水キャップに接続することであって、該雄部品は、１本の管類に取り付けられた針を含み、該呼び水キャップは、隔壁を含む、ことと、
注入ポンプに呼び水をするように命令することと、
既定の時間の間、該注入ポンプに該呼び水キャップの中へと呼び水をすることと、
いったん閉塞警報が発生すると、該呼び水キャップから該雄部品を除去することと、
既定の時間量の後に、閉塞警報が発生しない場合に、閉塞警報失敗を決定することと
を含む、方法。
【請求項５】
カニューレへの接続を決定するためのシステムであって、
該システムは、
１本の管類に接続された雄部品と、
カニューレに流体的に接続された雌部品と、
該雄部品および該雌部品上の電気接点であって、該雄部品が該雌部品に接続されたときに、該電気接点は回路を完成させる、電気接点と
を含む、システム。
【請求項６】
前記１本の管類は、１本以上のワイヤをさらに含み、該１本以上のワイヤは、前記回路と電気的に接続し、注入ポンプに電気的に接続しており、それにより、電気信号が、該ワイヤを使用して該注入ポンプに送信される、請求項５に記載のシステム。
【請求項７】
前記注入ポンプは、ポンププロセッサをさらに含み、それにより、該ポンププロセッサは、前記電気信号を受信する、請求項６に記載のシステム。
【請求項８】
前記１本の管類と流体的に連絡している貯留部をさらに含む、請求項５に記載のシステム。
【請求項９】
カニューレへの接続を決定するためのシステムであって、
該システムは、
１本の管類に接続された雄部品と、
該カニューレに流体的に接続された雌部品と、
該雄部品の上に位置するＲＦＩＤチップと、
該ＲＦＩＤチップと通信している、該雌部品の上に位置するアンテナであって、該アンテナは、該雄部品と該雌部品とが接続されているか否かを示すために、医療デバイスと無線通信している、アンテナと
を含む、システム。
【請求項１０】
注入ポンプに呼び水をするためのシステムであって、
該システムは、
１本の管類に接続された雄部品と、
カニューレに流体的に接続された雌部品と、
該雄部品の上に位置するＲＦＩＤチップと、
該ＲＦＩＤチップと通信している、該雌部品の上に位置するアンテナであって、該アンテナは、該雄部品と該雌部品とが接続されているか否かを示すために、該注入ポンプと無線通信している、アンテナと、
呼び水をする命令が受信され、該雄部品と雌部品とが接続されているときに、該注入ポンプに警報を発するように構成されるポンププロセッサと
を含む、システム。
【請求項１１】
ユーザが注入ポンプに接続されている場合に、呼び水を防止するための方法であって、  該方法は、
ポンププロセッサが、呼び水をする命令を受信することと、
ポンププロセッサが、雄部品と雌部品とが接続されているか否かを確認することと、
該雄部品と雌部品とが接続されている場合に、該ユーザに警報を発し、呼び水を防止することと、
該雄部品と雌部品とが接続されていない場合に、呼び水を可能にすることと
を含む、方法。
【請求項１２】
前記警報は、視覚警報である、請求項１１に記載の方法。
【請求項１３】
前記警報は、音声警報であることをさらに含む、請求項１２に記載の方法。
【請求項１４】
前記警報は、振動警報であることをさらに含む、請求項１３に記載の方法。
【請求項１５】
前記警報は、リモートコントロールに送信される、請求項１１に記載の方法。
【手続補正書】
【提出日】平成29年7月5日(2017.7.5)
【手続補正１】
【補正対象書類名】特許請求の範囲
【補正対象項目名】全文
【補正方法】変更
【補正の内容】
【特許請求の範囲】
【請求項１】
アイスクリーム用の組成物で製造されたアイスクリームの脂肪含量の減少方法において、前記組成物１００重量部を基準として、１８重量部以下の乳脂肪と共にタガトースを配合することを特徴とする、アイスクリームの脂肪含量の減少方法。
【請求項２】
前記アイスクリームは、メルティング速度が高乳脂肪アイスクリームのメルティング速度に比べて８０％ないし１００％である、請求項１に記載のアイスクリームの脂肪含量の減少方法。
【請求項３】
前記高乳脂肪アイスクリームのメルティング速度は、
高乳脂肪アイスクリーム用の組成物１００重量部を基準として２７．２重量部の乳脂肪を含む高乳脂肪アイスクリーム用の組成物で製造された高乳脂肪アイスクリームを−１０℃の冷凍庫で１時間くらい貯蔵した後、２０℃の温度条件で放置して、アイスクリームで初ドロップ（ｄｒｏｐ）が発生する時点を測定したものである、請求項２に記載のアイスクリームの脂肪含量の減少方法。
【請求項４】
前記アイスクリームが脱脂粉乳及び水あめを更に含む、請求項１に記載のアイスクリームの脂肪含量の減少方法。
【請求項５】
前記アイスクリーム用の組成物は、
アイスクリーム用の組成物１００重量部を基準として
３５ないし７５重量部の牛乳；
０．１ないし１０重量部のタガトース；
１ないし１５重量部の脱脂粉乳；
１ないし２０重量部の水あめ；を含むアイスクリーム用の組成物である、請求項４に記載のアイスクリームの脂肪含量の減少方法。
【請求項６】
低脂肪アイスクリーム用の組成物で製造された低脂肪アイスクリームのメルティング速度の改善方法において、前記組成物１００重量部を基準として、１８重量部以下の乳脂肪と共に、タガトース、脱脂粉乳、及び水あめを配合することを特徴とする、低脂肪アイスクリームのメルティング速度の改善方法。
【請求項７】
低脂肪アイスクリームのメルティング速度は、高乳脂肪アイスクリームのメルティング速度に比べて８０％ないし１００％である、請求項６に記載の低脂肪アイスクリームのメルティング速度の改善方法。
【請求項８】
前記高乳脂肪アイスクリームのメルティング速度は、
高乳脂肪アイスクリーム用の組成物１００重量部を基準として２７．２重量部の乳脂肪を含むアイスクリーム用の組成物で製造された高乳脂肪アイスクリームを−１０℃の冷凍庫で１時間くらい貯蔵した後、２０℃の温度条件で放置して、高乳脂肪アイスクリームで初ドロップ（ｄｒｏｐ）が発生する時点を測定したものである、請求項７に記載の低脂肪アイスクリームのメルティング速度の改善方法。
【請求項９】
前記アイスクリーム用の組成物は、
アイスクリーム用の組成物１００重量部を基準として
３５ないし７５重量部の牛乳；
０．１ないし１０重量部のタガトース；
１ないし１５重量部の脱脂粉乳；
１ないし２０重量部の水あめ；を含むアイスクリーム用の組成物である、請求項６に記載の低脂肪アイスクリームのメルティング速度の改善方法。
【手続補正書】
【提出日】平成29年9月26日(2017.9.26)
【手続補正１】
【補正対象書類名】特許請求の範囲
【補正対象項目名】全文
【補正方法】変更
【補正の内容】
【特許請求の範囲】
【請求項１】
注湯口を持つ上方のフランジ部と下方の管部とからなる浸漬ノズルの少なくとも２個を、水平方向に該フランジ部の側面で当接した状態で各該浸漬ノズルの各該フランジ部の下面を各該管部の両脇に平行する２列で支持する案内手段で支持し、該案内手段の各列に設けられ先頭の該浸漬ノズルの該フランジ部の下面を押圧して溶湯保持容器の流出口部に押しつける複数個の第１鍵盤からなる押圧鍵盤列を持ち、該先頭の浸漬ノズルをそれに続く後方の該浸漬ノズルで水平方向に押し出すと共に後方の該浸漬ノズルを該押圧鍵盤列に乗せる、浸漬ノズル交換装置において、
前記案内手段は、各前記押圧鍵盤列の後端に続き、後方の前記浸漬ノズルの該フランジ部の下面を押圧する少なくとも１個の第２鍵盤からなる補助押圧鍵盤列を持ち、
前記第２鍵盤は、後方の前記浸漬ノズルが水平方向で先頭の前記浸漬ノズルと隣り合う位置まで移動された時に後方の前記浸漬ノズルの該フランジ部の先端が先頭の前記浸漬ノズルの該フランジ部と同じ高さとなるように、後方の前記浸漬ノズルの該フランジ部の下面を押圧することを特徴とする浸漬ノズル交換装置。
【請求項２】
前記第２鍵盤は、後方の前記浸漬ノズルの前記フランジ部の下面を押圧するその上面の部分が、先端側が高い傾斜面となっている請求項１に記載の浸漬ノズル交換装置。
【請求項３】
前記第２鍵盤は、後方の前記浸漬ノズルの前記フランジ部の下面を押圧するその上面の部分の先端側が、先頭の前記浸漬ノズルの前記フランジ部の下面の後端を押圧する請求項２に記載の浸漬ノズル交換装置。
【手続補正２】
【補正対象書類名】明細書
【補正対象項目名】０００８
【補正方法】変更
【補正の内容】
【０００８】
上記目的を達成するため、本発明の浸漬ノズル交換装置は、注湯口を持つ上方のフランジ部と下方の管部とからなる浸漬ノズルの少なくとも２個を、水平方向に該フランジ部の側面で当接した状態で各該浸漬ノズルの各該フランジ部の下面を各該管部の両脇に平行する２列で支持する案内手段で支持し、該案内手段の各列に設けられ先頭の該浸漬ノズルの該フランジ部の下面を押圧して溶湯保持容器の流出口部に押しつける複数個の第１鍵盤からなる押圧鍵盤列を持ち、該先頭の浸漬ノズルをそれに続く後方の該浸漬ノズルで水平方向に押し出すと共に後方の該浸漬ノズルを該押圧鍵盤列に乗せる、浸漬ノズル交換装置において、前記案内手段は、各前記押圧鍵盤列の後端に続き、後方の前記浸漬ノズルの該フランジ部の下面を押圧する少なくとも１個の第２鍵盤からなる補助押圧鍵盤列を持ち、前記第２鍵盤は、後方の前記浸漬ノズルが水平方向で先頭の前記浸漬ノズルと隣り合う位置まで移動された時に後方の前記浸漬ノズルの該フランジ部の先端が先頭の前記浸漬ノズルの該フランジ部と同じ高さとなるように、後方の前記浸漬ノズルの該フランジ部の下面を押圧することを特徴とする。
【手続補正書】
【提出日】平成29年11月1日(2017.11.1)
【手続補正１】
【補正対象書類名】特許請求の範囲
【補正対象項目名】全文
【補正方法】変更
【補正の内容】
【特許請求の範囲】
【請求項１】
車両の車両下部に配置された電源装置と、
前記電源装置と電気的に接続され、前記電源装置から前記車両の車両上部と前記車両下部とを連結する中空の連結部材内を配索されて前記車両上部まで電力を供給する電力線と、
前記電力線と電気的に接続され、前記電力線から入力される電力を第１負荷機器に分配する第１電力分配部と、
前記電力線と電気的に接続され、前記電力線から入力される電力の電圧を変換する第１電圧変換部と、
前記車両上部、かつ、前記車両の進行方向前方に配置されたオーバーヘッドコンソールと、
を備え、
前記連結部材は、前記進行方向前方に配置されたフロントピラーであり、
前記オーバーヘッドコンソールには、前記第１負荷機器と前記第１電圧変換部と前記第１電力分配部とが収容されることを特徴とする電力供給システム。
【請求項２】
前記オーバーヘッドコンソールに収容され、前記電力線と電気的に接続され、前記電力線から入力される電力の電圧を変換する第２電圧変換部をさらに備え、
前記第１電力分配部は、前記第１電圧変換部および前記第２電圧変換部のそれぞれに電気的に接続され、前記第１電圧変換部および前記第２電圧変換部のそれぞれに電力を分配し、
前記第１電圧変換部で変換された電力は、前記第１負荷機器に供給され、
前記第２電圧変換部で変換された電力は、前記車両上部に配置された第２負荷機器に供給される請求項１に記載の電力供給システム。
【請求項３】
前記第１電圧変換部は、イルミネーション電源を生成し、
前記第２電圧変換部は、キースイッチ電源を生成する請求項２に記載の電力供給システム。
【請求項４】
前記第１電圧変換部で変換された電力は、前記第２負荷機器にも供給される請求項２または３に記載の電力供給システム。
【手続補正２】
【補正対象書類名】明細書
【補正対象項目名】０００６
【補正方法】変更
【補正の内容】
【０００６】
上記目的を達成する為、本発明は、車両の車両下部に配置された電源装置と、前記電源装置と電気的に接続され、前記電源装置から前記車両の車両上部と前記車両下部とを連結する中空の連結部材内を配索されて前記車両上部まで電力を供給する電力線と、前記電力線と電気的に接続され、前記電力線から入力される電力を第１負荷機器に分配する第１電力分配部と、前記電力線と電気的に接続され、前記電力線から入力される電力の電圧を変換する第１電圧変換部と、前記車両上部、かつ、前記車両の進行方向前方に配置されたオーバーヘッドコンソールと、を備え、前記連結部材は、前記進行方向前方に配置されたフロントピラーであり、前記オーバーヘッドコンソールには、前記第１負荷機器と前記第１電圧変換部と前記第１電力分配部とが収容される、ことを特徴としている。
【手続補正３】
【補正対象書類名】明細書
【補正対象項目名】０００７
【補正方法】変更
【補正の内容】
【０００７】
また、前記電力供給システムは、前記オーバーヘッドコンソールに収容され、前記電力線と電気的に接続され、前記電力線から入力される電力の電圧を変換する第２電圧変換部をさらに備え、前記第１電力分配部は、前記第１電圧変換部および前記第２電圧変換部のそれぞれに電気的に接続され、前記第１電圧変換部および前記第２電圧変換部のそれぞれに電力を分配し、前記第１電圧変換部で変換された電力は、前記第１負荷機器に供給され、前記第２電圧変換部で変換された電力は、前記車両上部に配置された第２負荷機器に供給される、ことが望ましい。
【手続補正４】
【補正対象書類名】明細書
【補正対象項目名】０００８
【補正方法】変更
【補正の内容】
【０００８】
また、前記第１電圧変換部は、イルミネーション電源を生成し、前記第２電圧変換部は、キースイッチ電源を生成する、ことが望ましい。
【手続補正５】
【補正対象書類名】明細書
【補正対象項目名】０００９
【補正方法】変更
【補正の内容】
【０００９】
また、前記第１電圧変換部で変換された電力は、前記第２負荷機器にも供給される、ことが望ましい。